(57)【要約】【課題】寿命を向上させる効果の高い濾過装置を提供する。【解決手段】濾過装置は、気体中の微粒子を捕集する濾材と、前記濾材を回転させる駆動装置と、を備える。前記濾材の充填率は０．０５未満である。前記駆動装置は、前記濾材に捕集された微粒子が前記濾材の回転中心から遠ざかる方向に移動するように前記充填率の範囲に応じて調整された回転数で前記濾材を回転させる。【選択図】図３
2018183719.tif 000002
【特許請求の範囲】
【請求項１】
気体中の微粒子を捕集する濾材と、
前記濾材を回転させる駆動装置と、を備え、
前記濾材の充填率は０．０５未満であり、
前記駆動装置は、前記濾材に捕集された微粒子が前記濾材の回転中心から遠ざかる方向に移動するように前記充填率の範囲に応じて調整された回転数で前記濾材を回転させる、ことを特徴とする濾過装置。
【請求項２】
前記濾材の半径の、気流の方向に沿った前記濾材の厚さに対する比は０．１以上である、請求項１に記載の濾過装置。
【請求項３】
前記濾材の平均繊維径は１０μｍを超え１００μｍ以下である、請求項１又は２に記載の濾過装置。
【請求項４】
前記充填率は、前記回転中心を通る前記濾材の位置から、前記回転中心から離れた前記濾材の端部の位置にかけて一定である、請求項１から３のいずれか１項に記載の濾過装置。
【請求項５】
さらに、前記濾材を外周側から取り囲む外枠を備える、請求項１から４のいずれか１項に記載の濾過装置。
【発明の詳細な説明】
【技術分野】
【０００１】
本発明は、濾過装置に関する。
【背景技術】
【０００２】
空気中の塵埃等の微粒子を取り除いて空気を清浄化するために、濾材を備える濾過装置が用いられている。濾材は、例えば、複数の繊維を有する繊維体からなる。濾材は、濾過装置内の空気の通路の途中に配置されており、装置内に取り込まれた空気が濾材を通過するときに、塵埃等が繊維に衝突等することにより、微粒子は空気中から除去される。濾材に捕集された微粒子は、濾過装置の稼働に伴って濾材内に徐々に堆積し、空気の流路が次第に狭くなって、圧力損失を上昇させる。圧力損失が所定の上限値（最終圧力損失）に達すると、寿命に達したとして新たな濾材と交換される。
【０００３】
上記濾過装置では、濾材の表面付近に微粒子が堆積しやすく、表面濾過が起きやすい。このため、最終圧力損失に達するまでに濾材に捕集される微粒子の量（以下、保塵量ともいう）が小さく、寿命が短くなりやすい。特に、ＰＭ２．５やＰＭ１０といった粒子径の小さい微粒子の濃度が高い環境で濾過を行うと表面濾過が起きやすく、寿命はよりいっそう短くなる。このため、濾材の交換頻度が増え、コストあるいは作業の手間が増えるという問題が生じている。
【０００４】
ところで、従来、微粒子を含有する気体をフィルタ層に通過させる手段と、当該フィルタ層を気体の通過方向と交差する方向に移動制御するための移動制御手段とを備えた装置が提案されている（特許文献１）。特許文献１には、フィルタ層が回転することで、捕集された微粒子が凝集し、それに作用する遠心力が大きくなることで、フィルタ層から粒子を離脱させ、フィルタの寿命が向上することが記載されている。
【先行技術文献】
【特許文献】
【０００５】
【特許文献１】特開２０１５−２０２４２５号公報
【発明の概要】
【発明が解決しようとする課題】
【０００６】
しかし、濾材の寿命は長いほど好ましく、より一層の長寿命化が絶えず求められている。
【０００７】
本発明は、寿命を向上させる効果の高い濾過装置を提供することを目的とする。
【課題を解決するための手段】
【０００８】
特許文献１には、上述したように、フィルタ層に捕集された微粒子に遠心力が作用することで、フィルタ層から粒子を離脱させることが記載されている。ところで、遠心力は、濾材が速く回転するほど大きくなるため、濾材を速く回転させることで、粒子を濾材内で移動させることができると考えられる。しかし、本発明者の検討により、濾材の回転速度を調整しても、必ずしもこのような作用が得られない場合があることが明らかとなった。本発明者は、さらに検討を進めた結果、充填率が特定の範囲内にある濾材を採用し、その上で濾材の回転数を調整することで、捕集された微粒子が濾材内で移動しやすくなることを突き止め、本発明を完成させた。
すなわち、本発明の一態様は、濾過装置であり、
気体中の微粒子を捕集する濾材と、
前記濾材を回転させる駆動装置と、を備え、
前記濾材の充填率は０．０５未満であり、
前記駆動装置は、前記濾材に捕集された微粒子が前記濾材の回転中心から遠ざかる方向に移動するように前記充填率の範囲に応じて調整された回転数で前記濾材を回転させる、ことを特徴とする。
【０００９】
前記濾材の半径の、気流の方向に沿った前記濾材の厚さに対する比は０．１以上であることが好ましい。
【００１０】
前記濾材の平均繊維径は１０μｍを超え１００μｍ以下であることが好ましい。
【００１１】
前記充填率は、前記回転中心を通る前記濾材の位置から、前記回転中心から離れた前記濾材の端部の位置にかけて一定であることが好ましい。
【００１２】
さらに、前記濾材を外周側から取り囲む外枠を備えることが好ましい。
【発明の効果】
【００１３】
本発明の濾過装置は、寿命を向上させる効果が高い。
【図面の簡単な説明】
【００１４】
【図１】本実施形態の一例による濾過装置を示す分解斜視図である。
【図２】濾過装置の気流方向に沿った断面図である。
【図３】（ａ）は、従来の濾過装置を用いた場合の、濾材に堆積した微粒子を概念的に説明する図であり、（ｂ）は、本実施形態の一例の濾過装置を用いた場合の、濾材に堆積した微粒子を概念的に説明する図である。
【図４】本実施形態の濾過装置の別の一例を示す図である。
【発明を実施するための形態】
【００１５】
以下、本実施形態の濾過装置について説明する。
【００１６】
図１は、本実施形態の一例による濾過装置１を示す分解斜視図である。図２は、図１の濾過装置１の気流方向Ｘに沿った断面図である。
濾過装置１は、濾材２２と、駆動装置４０と、を備える。
【００１７】
濾材２２は、気体中の塵埃等の微粒子を捕集する部材である。
濾材２２には、例えば、中性能フィルタ、あるいは粗塵用フィルタとしてのフィルタ性能を有する濾材が用いられる。中性能フィルタは、主に粒径５μｍ未満の粒子に対して中程度の粒子捕集率をもつエアフィルタであり、比色法により測定した捕集効率が５０〜９５％、あるいは、粒径０．７μｍの粒子を用いて計数法により測定した捕集効率が５０〜９５％であるエアフィルタである。粗塵用フィルタは、主に粒径５μｍ以上の粉塵の除去に用いられるエアフィルタであり、粒径０．７μｍの粒子を用いて計数法により測定した捕集効率が５〜５０％未満であるフィルタである。
濾材２２は、例えば、ガラス繊維、有機繊維、金属繊維、セラミック繊維、あるいは、これらのうちの２種以上の繊維の混合繊維からなる繊維体であり、例えば、不織布、あるいはフェルトである。濾材２２の形態は、例えば、シート状、マット状、あるいはプリーツ状である。プリーツ状の濾材２２は、シート状の濾材を、山折り、谷折りが交互に繰り返されたジグザグ形状に加工（プリーツ加工）することで作製される。ガラス繊維からなる濾材２２は、例えば、湿式法又は乾式法によって抄紙することにより作製される。有機繊維からなる濾材２２は、例えば、スパンボンド法、メルトブロー法、サーマルボンド法、ケミカルボンド法等によって作製される。
【００１８】
濾材２２の充填率は０．０５未満である。充填率がこの範囲内にあると、濾材２２の回転数が適切に調整されることで、濾材２２に捕集された微粒子が濾材２２内で移動しやすくなることが明らかにされた。本明細書において、濾材２２の充填率とは、濾材２２を構成する捕集体が濾材２２中に占める割合を意味し、下記式に従って計算される。
充填率＝捕集体の体積（ｍ3）／濾材２２の体積（ｍ3）
この式は、下記式と等価である。
充填率＝｛１−濾材２２に含まれる空隙の体積（ｍ3）｝／濾材２２の体積（ｍ3）
捕集体の例としては、繊維体、後述する、多孔体、構造体が挙げられる。捕集体が繊維体である場合の充填率は、下記式のように計算することができる。
充填率＝濾材２２を構成する繊維の体積（ｍ3）／濾材２２の体積（ｍ3）
＝繊維体の目付（ｇ／ｃｍ2）／｛繊維密度（ｇ／ｃｍ3）×繊維体の厚さ（ｃｍ）｝
繊維体の厚さは、気流方向の濾材２２の長さを意味する。
【００１９】
濾材２２の充填率が０．０５を超えると、濾材２２に捕集された微粒子が、濾材２２の回転によって発生した遠心力によって濾材２２の外周側に移動し難くなる。
濾材２２の充填率は、濾材２２に捕集された微粒子の外周側への移動がより容易になるよう、好ましくは０．０１以下であり、より好ましくは０．００５以下である。充填率の下限値は、微粒子が捕集されずに下流側にリークすることを防ぐ観点から、例えば、０．０００１である。
濾材２２の充填率は、後述する回転中心を通る位置から、回転中心から離れた濾材２２の端部（外周部）の位置にかけて一定であること、すなわち、分布を有しないことが好ましい。
【００２０】
濾材２２の平均繊維径は、例えば５〜１００μｍであるが、１０μｍを超え１００μｍ以下であることが好ましい。平均繊維径が１０μｍを超える場合、太くて捕集効率の低い濾材を用いて捕集効率の向上効果を得ることができる。また、濾材２２が回転することで上昇する圧力損失の上がり幅を抑えることができる。
【００２１】
濾材２２の目付は、例えば３０〜５００ｇ／ｍ2である。
濾材２２の厚さは、例えば１〜６０ｍｍである。濾材２２の厚さとは、図１及び図２に示す例において、気流方向Ｘに沿った濾材２２の長さをいう。
濾材２２の半径は、例えば５０〜１７５ｍｍである。
【００２２】
一例によれば、濾材２２は、上述の繊維体のほか、多孔体、あるいは構造体であってもよい。多孔体である濾材２２は、例えば、金属、炭素等の粉体又は繊維を焼結してなる焼結フィルタである。構造体である濾材２２は、一方向に延びる気体の通路を、通路を横切る方向に多数並べた形状のハニカムフィルタである。
【００２３】
濾材２２は、充填率の勾配を有するものであってもよい。例えば、濾材２２は、回転中心線Ｚから外周側に向かって段階的又は連続的に充填率が変化していてもよい。濾材２２に捕集された微粒子は、濾材２２の回転に伴って濾材２２内を外周側に移動しやすくする観点からは、濾材２２の充填率の勾配が、回転中心線Ｚから外周側に向かって低くなっていることが好ましい。
【００２４】
一例によれば、濾過体２０は、複数の濾材２２を有していてもよい。複数の濾材２２は、例えば、気流方向Ｘに積層され、あるいは、回転中心線Ｚの周りの方向（以下、周方向ともいう）もしくは濾過体２０の径方向に隙間なく並べられて配置される。複数の濾材２２は、充填率が互いに同じであってもよく、少なくとも一部が異なっていてもよい。例えば、上記した、充填率の勾配が回転中心線Ｚから外周側に向かって段階的に低くなっている濾材として、充填率の異なる複数の濾材２２を、濾過体２０の径方向に隙間なく、外周側に位置する濾材であるほど充填率が小さくなるように配置したものを挙げることができる。
【００２５】
濾材２２の半径の厚さに対する比は０．１以上であることが好ましい。濾材２２の半径の厚さに対する比が０．１以上であると、保塵量を増加させる効果が増す。また、濾過装置１が設置される気流方向のスペースに制約がある場合、濾材２２の半径の厚さに対する比は、好ましくは１以上、より好ましくは２以上である。
濾材２２は、図１及び図２に示す例において、円板状の形状を有している。
【００２６】
濾材２２は、図示されるように、濾材面積を大きくできる点で、後述する回転軸４２に貫通されていないことが好ましい。
【００２７】
駆動装置４０は、後述する外枠２４と連結される回転軸４２と、回転軸４２を回転させるモータ４４と、制御装置６０と、を有している。モータ４４は、図示されない外部又は内部電源が供給されることで外枠２４を回転駆動させる。濾材２２は、外枠２４内に配置され、外枠２４に保持されていることで、外枠２４と一体的に回転する。このため、モータ４４の回転数は濾材２２の回転数と等しい。モータ４４は、筐体１０に対して複数の支持体１２を介して支持され、回転軸４２が後述する回転中心線Ｚ上に位置するように配置されている。なお、図２では、モータ４４の支持体１２の図示を省略している。制御装置６０は、指定された回転数でモータ４４が回転するように設計された制御回路を有している。モータ４４の回転数は、例えば、インバータ又はスライダックを用いて、駆動装置４０に供給される電源の電圧又は周波数を変えることで調節することできる。
【００２８】
駆動装置４０は、濾材２２に捕集された微粒子が外周側（濾材２２の回転中心から遠ざかる方向）に移動するように充填率の範囲に応じて調整された回転数で、濾材２２を回転させる。このような回転数で濾材２２を回転させることで、濾材２２に捕集された微粒子を、濾材２２内で外周側に移動させ、濾材２２の外周部に堆積させることを容易に行うことができ、下記説明するように、濾材２２の保塵量を増加させることができる。なお、充填率の範囲に応じて調整された濾材２２の回転数とは、濾材２２の充填率が０．０５未満である場合に、濾材２２に捕集された微粒子が濾材２２の外周側に移動しやすくなる回転数をいう。濾材２２の回転中心は回転中心線Ｚ上にある。回転中心線Ｚは、気流方向Ｘと平行な仮想線である。
【００２９】
駆動装置４０は、図示されるように、筐体１０の空間１０ａ内に、濾過体２０に対し下流側に配置されることが好ましい。すなわち、濾材２２は、回転軸４２に対し上流側に配置されていることが好ましい。このような配置態様によれば、濾材２２を回転軸４２によって貫通させる必要がなく、濾材面積を確保することができる。また、濾材２２に遠心力が作用することによって回転軸４２との間に隙間ができることを防止できる。また、空気中の微粒子によって駆動装置４０が汚染され、回転駆動に不具合が発生することを防止できる。しかし、一例によれば、駆動装置４０は、濾過体２０に対し上流側に配置されていてもよい。この場合、回転軸４２は、濾材２２を貫通して外枠２４に連結される。
【００３０】
ここで、図３を参照して、濾材２２の保塵量について説明する。図３（ａ）は、従来の濾過装置を用いた場合の、濾材に堆積した微粒子を概念的に説明する図であり、図３（ｂ）は、濾過装置１を用いた場合の、濾材２２に堆積した微粒子を概念的に説明する図である。
従来の濾過装置では、濾材は回転せず、図３（ａ）に示すように、濾材の上流側の表面付近の部分に微粒子が堆積しやすい。このため、表面濾過が起きやすく、短時間で圧力損失が上昇する。したがって、濾材の下流側の表面付近に、微粒子を捕集できる領域（未捕集領域）が多く残されていても、濾材を交換する必要が生じる。なお、図３において、濾材内に捕集された微粒子を、多数の丸で概念的に表す。
これに対し、本実施形態の濾過装置１では、濾材２２に捕集された微粒子は、濾材２２の回転によって生じる遠心力を受けて、濾材２２の外周側に移動し、図３（ｂ）に示すように、濾材２２の外周部に堆積する。このため、少なくとも、濾材２２の回転中心を通る中心部では表面濾過が起きにくく、圧力損失が上昇し難いため、最終圧力損失に達するまでの時間が延びる。そして、濾材２２の外周部から微粒子を堆積させ、濾材２２内のより広い領域に微粒子を保持できるため、最終圧力損失に達するまでに濾材２２内に残る未捕集領域が少なく、保塵量が増し、濾材２２の寿命が延びる。なお、保塵量とは、使用を開始してから最終圧力損失に達するまでに濾材に捕集される微粒子の重量をいう。
【００３１】
一方で、濾材の充填率が０．０５以上である場合は、濾材２２を速く回転させても、濾材に捕集された微粒子の外周側への移動は起き難く、本実施形態の濾過装置１を用いた場合と比べ、最終圧力損失に達するまでの時間は短い。また、本実施形態の濾過装置１を用いた場合ほどに、濾材２２内に堆積する微粒子の量が増加せず、保塵量が増す効果は抑制され、寿命の延び幅は小さい。
本実施形態では、濾材２２の充填率が０．０５以上である場合、濾材２２の回転数が適切に調節されることで、上述したように、捕集された粒子が遠心力で外周側に移動しやすい。このため、最終圧力損失に達するまでの時間が長く、また、保塵量が増すことで、長寿命なものとなる。本実施形態の濾過装置１によれば、ＰＭ２．５やＰＭ１０などの粒径の小さい微粒子の濃度が高い環境で濾過装置１を使用したときに、濾材２２の交換頻度が増すことを抑制できる。また、従来の濾過装置において用いたときに寿命の短い濾材であっても、充填率が上記範囲内にあって、回転数が適切に調節された場合は、寿命を延ばすことができるため、本実施形態の濾過装置１では、捕集効率が高く圧力損失の小さい高性能な濾材を用いる必要がない。
【００３２】
上記した、充填率の上記範囲に応じて調整された濾材２２の回転数は、具体的に、１０００回転／分以上であり、寿命を大きく延ばす効果が得られる点で、１５００回転／分以上、好ましくは２０００回転／分以上である。回転数の上限値は、特に制限されないが、例えば５０００回転／分である。
【００３３】
本実施形態の濾過装置１によれば、上記説明したように、濾材２２に捕集された微粒子が外周側に移動することで、濾材の中心部と外周部とで、捕集された微粒子量に差が生じている。なお、濾材２２の中心部とは、濾材２２の回転中心から、濾材２２の半径の５０％以下（好ましくは２５％）の長さ外周側に離れた位置までの部分をいう。一方、濾材２２の外周部とは、濾材２２の外周の縁から、濾材２２の半径の５０％（好ましくは２５％）未満の長さ、回転中心に近づいた位置までの部分をいう。
【００３４】
濾過装置１は、さらに、筐体１０と、外枠２４と、壁部材３０（図２参照）と、ファン５０と、を備えることが好ましい。図１において、壁部材３０の図示は省略されている。
【００３５】
筐体１０は、気体を取り込んで通過させる空間１０ａを有する。図示される例において、筐体１０は、筒状の部材であり、気流方向Ｘの上流側及び下流側が開口されている。気流方向Ｘは、気体が筐体１０の空間１０ａを通過する方向である。一例によれば、筐体１０は、建物の中に設置されたダクトであってもよい。
【００３６】
外枠２４は、筐体１０の内壁との間に隙間をあけて空間１０ａ内に配置され、回転中心線Ｚの周りに回転する。隙間の長さ（外枠２４と筐体１０の内壁との距離）は、例えば２ｍｍ以下である。
【００３７】
外枠２４は、図示される例では、ガイド部２５と、環状壁部２６と、支持部２７と、を有しており、これらが一体に形成されている。
【００３８】
ガイド部２５は、濾材２２の外周部をその外周側から取り囲む部分である。ガイド部２５は、図２に示す例では、気流方向Ｘと平行な方向に延在し、かつ、周方向に延在した円筒状の形状を有している。濾材２２は、ガイド部２５の内周側に、径方向に圧縮された状態で配置され、あるいは、ガイド部２５の内壁に外周部が接着されて配置されており、ガイド部２５に対し隙間なく接している。ガイド部２５は、濾材２２に入り込んで濾材２２内を外周側に流れた空気が隙間Ｇ内に流れ出るのを防止し、気流方向Ｘの下流側に案内する機能を有している。ガイド部２５は、隙間をあけて筐体１０と離間している。
【００３９】
ガイド部２５は、貫通孔を有しないことが好ましい。これにより、濾材２２に捕集された微粒子が貫通孔を通過してガイド部２５と筐体１０の内壁との隙間に流出し、下流側を汚染することを防止できる。  しかし、一例によれば、ガイド部２５は、貫通孔を有していてもよい。ガイド部２５は、例えば、多数の貫通孔が配列したメッシュ状の形態を有していてもよい。ガイド部２５にこのような貫通孔が設けられていることで、濾材２２に捕集された微粒子を、ガイド部２５を通過させて濾過体２０の外周側に取り出すことができる。これにより、濾材２２をより長く使用することができる。この場合、筐体１０内の、例えばガイド部２５の下流側には、濾材２２から排出された微粒子を受け止める容器等が配置される。
【００４０】
環状壁部２６は、濾材２２に対し下流側から接するように、回転中心線Ｚに向かって延在した部分である。図示される例では、環状壁部２６は、ガイド部２５の下流側の端から回転中心線Ｚに向かって延在し、かつ、周方向に延在した円環状をなしている。
【００４１】
支持部２７は、濾材２２に対し下流側から接するように、回転中心線Ｚが通る外枠２４の中心部と、環状壁部２６とに接続された部分である。支持部２７は、２つ、３つ、あるいは４つ以上の複数設けられることが好ましく、図示されるように、外枠２４の中心部から放射状に延びて配置されることが好ましい。支持部２７は、環状壁部２６とともに、濾材２２が外枠２４から下流側に抜けることを防止する。また、複数の支持部２７が周方向に間隔をあけて配置されていることで、濾材２２を通過する空気の流量が確保される。
【００４２】
外枠２４及び濾材２２は、濾過体２０を構成する。一例によれば、濾過体２０は、上記説明した外枠２４を備えていなくてもよい。この場合、濾材２２は、後述する回転軸４２に貫通され、回転軸４２と一体に回転するように固定される。
【００４３】
一例によれば、濾過体２０は、複数の濾材２２を有していてもよい。複数の濾材２２は、例えば、気流方向Ｘに積層され、あるいは、回転中心線Ｚの周りの方向（以下、周方向ともいう）に隙間なく並べられて配置される。
【００４４】
壁部材３０は、筐体１０に取り込まれる気体の流量を絞る通路３０ａを形成する部材である。壁部材３０は、図２に示す例では、筐体１０の上流側の端に取り付けられ、筐体１０内に配された濾材２２より上流側に位置している。壁部材３０は、筐体１０と溶接され、あるいは、パッキン等のシール部材を介して接続され、筐体１０との間に隙間なく取り付けられている。壁部材３０は、図２に示す例において、第１壁部３２と、第２壁部３４と、を有している。
【００４５】
第１壁部３２は、筐体１０の上流側の端から内周側に延在し、かつ、周方向に延在した円環状の部分である。第１壁部３２は、筐体１０の内壁から通路３０ａを画する端まで、気流方向Ｘと反対側（上流側）への空気の流れを遮断するように延在する壁面３２ａを有している。通路３０ａは、図２に示す例において、気流方向Ｘと直交する方向の断面が円形であり、筐体１０内の空間１０ａの断面積より、その流路面積が小さい。本実施形態では、濾材２２に捕集された微粒子は外周側に移動しやすく、濾材２２の外周部から堆積する。このため、濾材２２を通過する気流を、濾材２２の中心部に誘導することで、表面濾過の発生を抑え、目詰りし難くなる効果が向上する。濾材が回転しない上記従来の濾過装置では、濾材の厚み方向の上流側の部分から微粒子が堆積するため、表面濾過が起きて空気の流れが阻害されやすく、目詰りしやすい。壁面３２ａは、凹みや貫通孔を有しない平滑面である。また、壁面３２ａは、気流方向Ｘと交差する方向に延在しており、図示される例において、気流方向Ｘと直交する方向に延びている。壁面３２ａは、通路３０ａを通過した空気が濾材２２の中心部に進入するように、濾材２２に対して接近して配置されていることが好ましい。この点から、気流方向Ｘに沿った壁面３２ａと濾材２２との距離は、例えば、３０ｍｍ以下に設定される。
【００４６】
第１壁部３２の径方向の長さ（径方向両側のうちの片側）は、通風量を低下させすぎることなく、濾材２２の中心部に空気を導く観点から、筐体１０の内径の５〜２５％の長さであることが好ましい。
【００４７】
第２壁部３４は、図２に示す例において、第１壁部３２の内周側の端から気流方向Ｘに沿って上流側に延びる円筒状の部分である。一例によれば、第２壁部３４は、このような形態に制限されず、第１壁部３２の外周側の端から上流側に延在した円筒状をなしていてもよい。
【００４８】
また、一例によれば、第１壁部３２の内周側の端から上流側に向かって連続的に通路３０ａを広げるように、気流方向Ｘに対して傾斜して延在した円錐台形状であってもよい。
図４は、本実施形態の別の一例による濾過装置１を示す図である。
図４に示す例において、第２壁部３４の内壁には、螺旋状に延びるネジ山３４ａが設けられている。本実施形態の濾過装置１では、通路３０ａによって流量が絞られているため、壁部材３０を備えない場合と比べ、通風量が低下しやすい。しかし、図４に示す形態の壁部材３０を備える濾過装置１では、ネジ山３４ａに沿って、図示される矢印で指す方向に流れるように空気を供給しつつ、通路３０ａの中心部を筐体１０内から上流側に戻る気流の流れを確保することで、通風量の低下の程度を抑えることができる。
【００４９】
ファン５０は、微粒子を含んだ空気を取り込んで筐体１０内を通過させる気流を発生させる。ファン５０は、図示される例において、回転軸４２に連結され、駆動装置４０によって回転駆動される。図示される例では、濾過体２０及びファン５０は、駆動装置４０によって一体的に回転駆動されるため、濾過体２０及びファン５０を異なる駆動装置で回転駆動させる場合と比べ、消費電力を抑えることができる。
【００５０】
以上説明した濾過装置１によれば、濾材２２の充填率が０．０５未満であるため、濾材２２の回転数が適切に調整されることで、濾材２２に捕集された微粒子が濾材２２内で移動しやすくなる。このため、最終圧力損失に達するまでの時間が長く、また、保塵量が増すことで、長寿命なものとなる。
【００５１】
本実施形態の濾過装置１は、室内又は屋外の塵埃が発生しやすい場所において、塵埃が浮遊する空気を取り込み、清浄化する集塵機等として好適に用いることができる。例えば、オイルミストが発生しやすい、切削加工等を行う作業現場、調理施設等を備える室内、において、濾過装置１を設置する、あるいは、室内と接する建物内部に設けられたダクトを筐体として濾過装置１を設置することができる。この場合、濾材２２に捕集された油分が濾材２２に蓄積されることを抑えるために、濾過装置１の上流側で水蒸気を発生させ、オイルミストとともに筐体１０内に取り込むことで、濾材２２に捕集された油分を濾材２２の繊維から離脱させやすくすることができる。
また、例えば、ヒューム等の金属粉、その他の粉体が発生しやすい、溶接加工、切削加工等を行う室内又は屋外において、濾過装置１を設置することができる。
【００５２】
本実施形態の濾過装置１は、水平方向を気流方向Ｘとする場合に限らず、鉛直方向を気流方向Ｘとすることもできる。例えば、天井と接する建物内部に設けた鉛直方向に延びるダクトを筐体とすることもできる。
【００５３】
（実験例）
本発明の効果を確認するために、上記実施形態の濾過装置において、回転数を種々異ならせて、保塵量を測定した。
濾材には、有機繊維からなる不織布（日本無機社製のＰＥＴ繊維不織布  ＤＳ６００）を３枚重ねたものを用いた。この濾材は、目付が０．０１３ｇ／ｃｍ2、繊維密度が１．３８ｇ／ｃｍ3、厚みが２０ｃｍであり、濾材の充填率は０．０４７％であった。
試験方法は、ＪＩＳ  Ｂ  ９９０８：２０１１に準拠して行った。最終圧力損失４９８Ｐａに達した時点で終了し、エアフィルタ１台あたりの保塵量（ｇ／台）を計算した。保塵量の計算は、試験の前後での濾材の質量を測定し、その差から求めた。
また、捕集効率として、ＪＩＳ  Ｂ９９０８  形式３に準拠し、質量法粒子捕集率（％）を求めた。
結果を、表１に示す。
【００５４】
【表１】
2018183719.tif 000003
【００５５】
実験例１と実験例２、３の比較から、濾材の充填率が０．０５未満である場合に、回転数が調整されることで、保塵量が増加することが確認された。濾材の充填率が０．０５未満である場合に、回転数が調整されることで、濾材に捕集された微粒子が外周側に移動しやすくなり、その結果、濾材の未捕集領域が減り、保塵量が増したと考えられる。
【００５６】
実験例１〜３から、濾材の充填率が０．０５未満である場合に、回転数が調整されることで、保塵量が変化することが確認された。
また、実験例１〜３の比較から、回転数の増加に伴って、捕集効率が上昇することが確認された。
【００５７】
以上、本発明の濾過装置について詳細に説明したが、本発明の濾過装置は上記実施形態に限定されず、本発明の主旨を逸脱しない範囲において、種々の改良や変更をしてもよいのはもちろんである。
【符号の説明】
【００５８】
１  濾過装置
１２  支持体
１０  筐体
１０ａ  空間
２０  濾過体
２２  濾材
２４  外枠
２５  ガイド部
２６  環状壁部
２７  支持部
３０  壁部材
３０ａ  通路
３２  第１壁部
３２ａ  壁面
３４  第２壁面
３４ａ  ネジ山
４０  駆動装置
４２  回転軸
４４  モータ
５０  ファン
【図１】
2018183719.tif 000004
【図２】
2018183719.tif 000005
【図３】
2018183719.tif 000006
【図４】
2018183719.tif 000007